(57)【要約】【課題】鮮やかなオレンジから赤色に着色された透明石けんであって、にごり、くすみや色むらがなく、透明性や色の経時安定性に優れ、使用時の泡にも色が着いている透明石けんの提供。【解決手段】（ａ）炭素数１２〜２０の飽和及び不飽和脂肪酸の脂肪酸塩と、（ｂ）２〜８価の多価アルコールと、（ｃ）キンポウゲ科フクジュソウ属のアドニス・パラエスティナ（Adonis palaestina）、アドニス・ミクロカルパ（Adonis microcarpa）、アドニス・アンヌア（Adonis annua）、ナツザキフクジュソウ（Adonis aestivalis）から選ばれる１種以上の花弁より抽出した植物エキスとからなり、（ａ）と（ｂ）の質量比が４０／６０〜９５／５であり、（ａ）＋（ｂ）１００質量部に対して（ｃ）が０．００１〜５質量部である透明石けん。【選択図】なし【特許請求の範囲】
【請求項１】
（ａ）炭素数１２〜２０の飽和及び不飽和脂肪酸の脂肪酸塩と、（ｂ）２〜８価の多価アルコールと、（ｃ）キンポウゲ科フクジュソウ属のアドニス・パラエスティナ（Adonis palaestina）、アドニス・ミクロカルパ（Adonis microcarpa）、アドニス・アンヌア（Adonis annua）、ナツザキフクジュソウ（Adonis aestivalis）から選ばれる１種以上の花弁より抽出した植物エキスとからなり、（ａ）と（ｂ）の質量比が４０／６０〜９５／５であり、（ａ）＋（ｂ）１００質量部に対して（ｃ）が０．００１〜５質量部である透明石けん。
【発明の詳細な説明】
【技術分野】
【０００１】
本発明は、鮮やかなオレンジから赤色に着色された透明石けんに関し、さらに詳しくは、にごり、くすみや色むらがなく、透明性や色の経時安定性に優れ、使用時の泡にも色が着いている透明石けんに関する。
【背景技術】
【０００２】
透明石けんは従来から主として洗顔用に用いられている。透明石けんは主に脂肪酸塩と多価アルコールで構成されており、豊かな泡立ちを有し、さっぱりとした洗い上がりを有すること、透明性が高級感を与えることから好まれている。この高級感を更に高めることが検討されており、そのひとつとして色素を用いた着色が試みられている。着色に用いられる色素は赤色１号などといった合成色素や天然系の色素であり、天然系の色素が好まれる傾向にある。従来より天然系の色素としてカロチンやパプリカ色素、クチナシ色素等が用いられている。
【０００３】
しかし、これらの色素は、石けんに使ったときに、にごり、くすみや色むらが生じて透明性が悪くなるという問題を有すると共に、熱や光に対する安定性が低いため、経時的に変色や退色が生じるという大きな問題を有していた。このような問題を解決するため、種々の色素に対して退色抑制剤等を用いる技術が提案されている。例えば、カロチン等の色素の退色を防止する技術として、炭素数１〜５のα−ヒドロキシ酸及び／又はその塩の少なくとも１種を配合することを特徴とする化粧料（特許文献１）、ロスマリン酸を有効成分とする退色抑制剤（特許文献２）、マルトオリゴ糖を有効成分として含有する退色防止剤（特許文献３）、セリ科の植物の抽出液を有効成分とする退色抑制剤（特許文献４）が開示されている。しかしこれらの技術でも、透明石けんに用いた際に、にごり、くすみや色むらによる透明性の低下、経時的な変色や退色の問題を解決するには至らなかった。
【先行技術文献】
【特許文献】
【０００４】
【特許文献１】特開２００１−２３３７２６号公報
【特許文献２】特開２００１−２７５６１１号公報
【特許文献３】特開２００１−２９４７６８号公報
【特許文献４】特開２００４−０００１８０号公報
【発明の概要】
【発明が解決しようとする課題】
【０００５】
本発明は、鮮やかなオレンジから赤色に着色された透明石けんであって、にごり、くすみや色むらがなく、透明性や色の経時安定性に優れ、使用時の泡にも色が着いている透明石けんを提供することを目的とする。なお、本発明において「にごり、くすみや色むらがない」とは、パネラーが目視によっては、にごり、くすみや色むらを認識できないことを意味し、「泡が着色されている」とは、泡が白色以外の色（例えば淡赤色）を有することを意味する。
【課題を解決するための手段】
【０００６】
上記課題を解決するため、本発明者らは鋭意検討した結果、（ａ）特定の脂肪酸塩と、（ｂ）特定の多価アルコールと、（ｃ）特定の植物の花弁より抽出したエキスとを用い、（ａ）（ｂ）（ｃ）の各成分の量的関係を規定することによって、オレンジから赤の色鮮やかな透明石けんであって、にごり、くすみや色むらがなく、透明性や色の経時安定性に優れ、かつ使用時の泡にも色が着いている透明石けんが得られることを見出し、本発明を完成するに到った。
【０００７】
すなわち、本発明は（ａ）炭素数１２〜２０の飽和及び不飽和脂肪酸の脂肪酸塩と、（ｂ）２〜８価の多価アルコールと、（ｃ）キンポウゲ科（Ranunculaceae）フクジュソウ属のアドニス・パラエスティナ（Adonis palaestina）、アドニス・ミクロカルパ（Adonis microcarpa）、アドニス・アンヌア（Adonis annua）、ナツザキフクジュソウ（Adonis aestivalis）から選ばれる１種以上の花弁より抽出した植物エキスとからなり、（ａ）と（ｂ）の質量比が４０／６０〜９５／５であり、（ａ）＋（ｂ）１００質量部に対して（ｃ）が０．００１〜５質量部の透明石けんである。
【発明の効果】
【０００８】
本発明の透明石けんによれば、鮮やかなオレンジから赤色に着色されて高級感が高められ、にごり、くすみや色むらがなく、透明性や色の経時安定性に優れると共に、使用時の泡にも色が着いているため、他の透明石けんとの差別化により高級感が更に高められる。
【発明を実施するための形態】
【０００９】
以下、本発明について詳細に説明する。
本発明の透明石けんは、（ａ）炭素数１２〜２０の脂肪酸塩と、（ｂ）２〜８価の多価アルコールと、（ｃ）特定の植物の花弁より抽出したエキスとからなる。まず、（ａ）成分について説明する。
【００１０】
（ａ）成分で用いられる炭素数１２〜２０の脂肪酸塩の脂肪酸は、天然油脂由来の脂肪酸であり、またその脂肪酸を精製して得られる単体脂肪酸を用いることができる。好ましくは植物油脂由来の脂肪酸塩であり、植物油脂としては特に限定されないが、ヤシ油、パーム油、パーム核油、大豆油、ナタネ油、オリーブ油等が一般に用いられる。脂肪酸塩を構成する脂肪酸は、不飽和脂肪酸を多く含有する油脂由来では、色相や臭気の経時安定性が劣ることがある。このため、色相や臭気の変化の主原因である不飽和脂肪酸含量を低減させた方が好ましい。不飽和脂肪酸含量の低減は脂肪酸の分離精製で知られる一般的な方法で行うことができる。不飽和脂肪酸含量はヨウ素価（ＩＶ）を指標とすることができ、好ましくはヨウ素価（ＩＶ）が３０以下であり、より好ましくは１５以下であり、さらに好ましくは不飽和脂肪酸を実質的に含まない１以下である。
【００１１】
炭素数１２未満の脂肪酸塩では、泡立ちの低下、臭気の悪化および色相安定性の悪化があり好ましくない。一方、炭素数２０を越える脂肪酸塩では、水に対する溶解度が低下することにより、泡立ちが低下するだけでなく、にごり、くすみや割れの問題があり好ましくない。
【００１２】
天然油脂由来の脂肪酸を脂肪酸塩にするに際しては塩基性化合物が用いられ、塩基性化合物としてはアルカリ金属塩や塩基性アミノ酸などが好ましく用いられる。塩基性化合物による中和に際しては、脂肪酸に対して当量の塩基性化合物を用いるが、当量未満の塩基性化合物または脂肪酸を後添加することにより得られる過脂肪石けんを用いると、使用時の泡質がクリーミーになると共に使用後のつっぱり感が低減し、しっとり感が良くなる。
【００１３】
（ｂ）成分で用いられる２〜８価の多価アルコールとしては、グリセリン、ジグリセリン、ポリグリセリン、１，３−ブチレングリコール、ポリエチレングリコール、ポリプロピレングリコール、ジプロピレングリコール、グルコース、メチルグルコシド、ポリプロピレングリコール、ソルビトール、ソルビタン、キシリトール、トレハロース、グリコシルトレハロース、マンニトール等が挙げられ、これらは一種又は二種以上が用いられる。好ましくは、グリセリン、ジグリセリン、ポリグリセリン、ポリエチレングリコール、グルコース、ソルビトール、ソルビタン、グリコシルトレハロースであり、特に好ましくはグリセリン、スクロース、グルコース、ソルビトールである。
【００１４】
また、透明性をより良くするためには、（ｂ）成分で用いられる２〜８価の多価アルコールを二種以上混合して用いることが好ましい。好ましくはグリセリン、ジグリセリン、ポリグリセリン、ポリエチレングリコール、グルコース、ソルビトール、ソルビタン、グリコシルトレハロースの多価アルコールから選ばれる二種以上の併用であり、より好ましくはグリセリン、スクロース、ソルビトールから選ばれる二種または三種の併用である。
【００１５】
（ｃ）成分で用いられる植物エキスは、キンポウゲ科（Ranunculaceae）フクジュソウ属の植物の中でも赤い花を有するアドニス・パラエスティナ（Adonis palaestina）、アドニス・ミクロカルパ（Adonis microcarpa）、アドニス・アンヌア（Adonis annua）、ナツザキフクジュソウ（Adonis aestivalis）の花弁より得られる濃色の植物エキスであり、希釈することによりオレンジから赤色を呈する。中でも効果・安定性・入手のし易さなどから、アドニス・パラエスティナ（Adonis palaestina）の花弁のエキスが好ましい。この植物エキスには７〜１０質量％のアスタキサンチン類が含まれている。アスタキサンチン類とは、アスタキサンチンおよびその誘導体であり、その誘導体としては、アミノ酸エステル類、カルボン酸エステル、無機塩エステル、グルコシド等の配糖体類、脂肪酸エステル類等が挙げられる。なお、このアスタキサンチン類は化粧品では美白、アンチエイジング効果があるといわれている。
【００１６】
（ｃ）成分の植物エキスは、有機溶媒や超臨界性流体を用いて、乾燥した花弁の粉砕物を常法により抽出することで得られる。抽出効率や取り扱い性の容易さの面から、沸点１１０℃以下の有機溶媒が好ましく、具体的にはヘキサン、アセトン、エタノール、酢酸エチル等が好適に用いられ、極性溶媒と非極性溶媒を組み合わせて用いることが特に好ましい。抽出についで、必要に応じてカラム精製を行なった後、溶媒を留去して当該植物エキスが得られる。これらの操作は酸化劣化を防止するため、不活性ガス下で行うことが好ましい。
【００１７】
本植物エキスは、取り扱い性や配合を容易にする目的で、化粧品で用いられる常温で液体の油性剤で希釈して使用することができる。このような油性剤としては、流動パラフィン、常温で液体の合成エステル油、常温で液体の天然油脂を挙げることができ、配合された石けんの使用感や泡質の面から天然油脂が好ましい。このような天然油脂としては、上昇融点が２０℃以下でヨウ素価が７０〜１５０の植物油がさらに好ましく、例えば、ナタネ油、オリーブ油、ダイズ油、ヒマワリ油などが挙げられる。
【００１８】
（ｃ）成分の植物エキスは、市販品を使用しても良く、例えば、アドニス・パラエスティナ花エキスとしては、Axime 05（Swiss Pharmaceutical Industries S.A.社製）のものが挙げられる。
【００１９】
本発明の透明石けんは、（ａ）（ｂ）（ｃ）の各成分が下記の量的関係を満足する。すなわち、（ａ）と（ｂ）の質量比が４０／６０〜９５／５であり、好ましくは４５／５５〜８０／２０である。質量比（ａ）／（ｂ）が４０／６０未満では十分な泡立ちが得られず、質量比（ａ）／（ｂ）が９５／５を越えると、にごり、くすみが生じるおそれがある。また、（ｃ）成分の植物エキスは、（ａ）＋（ｂ）１００質量部に対して０．００１〜５質量部、好ましくは０．００５〜２質量部、更に好ましくは０．００５〜０．１質量部である。０．００１質量部未満では泡立てた時の色が不十分であり、５質量部を越えると透明石けんの色の鮮やかさが損なわれる。
【００２０】
本発明の透明石けんは、（ａ）脂肪酸塩、（ｂ）多価アルコール、（ｃ）植物エキスを用いて、通常の製法、例えば枠練り法によって得ることができる。例えば、あらかじめ溶解した脂肪酸に２〜８価の多価アルコールとエタノールと水を加え塩基性化合物で中和した後、植物エキスを加える。次に型枠に流し込んで石けんを固化した後、適当な大きさに切り取って乾燥室で乾燥する。乾燥後、荒磨き、型打ち、仕上げ磨きを行うことにより、オレンジから赤色の透明石けんを得ることができる。なお、本発明の透明石けんには、本発明の特徴を損なわない範囲において、石けんに通常用いられる成分を適宜使用することができる。
【実施例】
【００２１】
以下、実施例により本発明を更に詳細に説明する。なお、例中、％はいずれも質量％を意味する。
【００２２】
実施例１の試料は以下の方法により調製した。
還流装置と攪拌機を有する四ッ口フラスコを用いて、８０℃でパーム油微水添脂肪酸とヤシ系脂肪酸を質量比１：１で混合溶解する。ついで、攪拌しながら規定量の水とエタノールを加える。あらかじめ調製した２８％塩基性化合物水溶液（水酸化ナトリウム／水酸化カリウム＝６０％／４０％）をゆっくりと加え均一になるまで攪拌混合する。次にソルビトール、スクロース、グリセリンおよびＮａＣｌを加え、均一に混合する。少量を取り出しフェノールフタレイン指示薬にて微紅色であることを確認する。微紅色でなければ、２８％塩基性化合物水溶液又は脂肪酸により調整する。アドニス・パラエスティナの乾燥した花弁の粉砕物を、ヘキサン：エタノール＝１：１（体積比）混合溶媒で抽出し、水を加えて分層させた後、上層のヘキサン層を分離し、溶媒を減圧留去してアドニス・パラエスティナ花エキスを得、さらにヒマワリ油で希釈した。このようにして得られたヒマワリ油希釈エキスを最後に加えて混合する。
【００２３】
次に、円筒形の型枠（φ６５ｍｍ）に流し込み、室温で１２時間放冷して固化する。完全に固化したことを確認し、型枠より取り出し、厚み３ｃｍに切る。切断した透明石けんを１ヶ月間２５℃にて乾燥する。ついで、型打ち、磨きを行い、さらに一夜乾燥させた後に仕上げ磨きを行って、厚み２．３ｃｍの透明石けんを得た。この透明石けんを用いて、色の鮮やかさ、透明性、泡の色、光安定性試験、熱安定性試験および使用感について評価を行った。
【００２４】
同様にして、実施例２〜８および比較例１〜８による透明石けんを得た。なお、原料脂肪酸としては、微水添脂肪酸、ヤシ系脂肪酸および各種単体脂肪酸を適宜配合して、表１の脂肪酸組成を有する混合脂肪酸を得た。共通配合成分は表２に、塩基性化合物の配合量を表３にまとめた。ヨウ素価（ＩＶ）については基準油脂分析試験法（（社）日本油化学会）3.3.3-1996に準じて測定し、水分についてはJIS K3304:2006 7.1.2加熱乾燥法に準じて測定した。また、アドニス・パラエスティナ以外のアドニス花エキスについても、適宜比率を調整したヘキサンとエタノールとの混合溶媒を用いて抽出して調製した。実施例１〜８および比較例１〜８のそれぞれの各成分の含有量と評価結果を表４および表５にまとめた。
【００２５】
さらに、実施例及び比較例には、植物エキスとして以下の市販品を用いた。
アドニス・パラエスティナ花エキス(Axime05) ：Swiss Pharmaceutical Industries S.A.社製；アドニス・パラエスティナ花エキス：ヒマワリ油＝質量比６０：４０）、パプリカ色素（パプリカベース２５０）：三栄源エスエフアイ（株）、カロットオイル（カロットオイル）：（株）壽ケミカル、銅クロロフィル（精製銅クロロフィル）：タマ生化学（株）、シコンエキス（シコニックスリキッドAB(N) ）：一丸ファルコス（株）、カラメル色素（タイヨウカラメルＳ）：仙波糖化工業（株）、黒砂糖（黒砂糖）：小城製薬（株）、クチナシ青（クチナシ青）：香栄興業（株）
【００２６】
【表１】
2010202835.tif 000002
【００２７】
【表２】
2010202835.tif 000003
【００２８】
【表３】
2010202835.tif 000004
【００２９】
【表４】
2010202835.tif 000005
【００３０】
【表５】
2010202835.tif 000006
【００３１】
評価方法
１．色の鮮やかさ
２０名の女性パネラー（２１才〜３６才）により、透明石けんの色の鮮やかさを目視により下記のように判定し、２０名の合計値を求めて評価した。
２点・・・色むらがなく鮮やかに発色し、くすんだ感じがないと感じた場合
１点・・・色むらはないが、わずかにくすんだ感じがあると感じた場合
０点・・・色むらがあるか、または明らかにくすんでおり鮮やかではないと感じた場合
○・・・２０名の判定の合計値が２８〜４０で、且つ０点の評価がないとき
△・・・２０名の判定の合計値が１４〜２７で、且つ０点の評価がないとき
×・・・２０名の判定の合計値が０〜１３のとき、または０点評価があったとき
【００３２】
２．透明性
２０名の女性パネラー（２１才〜３６才）により、透明石けんを目視および７ポイントのカタカナを書いた紙の上にのせて透明性を判定し、２０名の合計値を求めて評価した。
２点・・・曇りがなく透明であり、７ポイントの文字が容易に判別できる
１点・・・わずかに曇りがあるが透明であり、７ポイントの文字が判別できる
０点・・・曇りや濁りがあり、７ポイントの文字を判別できないか、一部または全部が白濁している
○・・・２０名の判定の合計値が２８〜４０であるとき
△・・・２０名の判定の合計値が１４〜２７であるとき
×・・・２０名の判定の合計値が０〜１３であるとき
【００３３】
３．泡の色
２０名の女性パネラー（２１才〜３６才）により、石けんの使用時の泡の色を判定し、２０名の合計値を求めて評価した。
２点・・・泡立てた泡に明らかに色がついている
１点・・・泡立てた泡にわずかに色がついている
０点・・・泡立てた泡に色がついていない
◎・・・２０名の判定の合計値が３５〜４０で、且つ０点の評価がないとき
○・・・２０名の判定の合計値が２５〜３４で、且つ０点の評価がないとき
×・・・２０名の判定の合計値が２４点以下のとき、または０点評価があったとき
【００３４】
４．光安定性試験
２０名の女性パネラー（２１才〜３６才）により、日光の当たる窓際で１週間放置した際の退色の程度を暗所に保管した標準品と比較して判定し、２０名の合計値を求めて評価した。
２点・・・標準品と比較してほとんど同じ色合いである
１点・・・標準品と比較するとわずかに退色が認められる
０点・・・標準品と比較して明らかな退色が認められる
○・・・２０名の判定の合計値が２８〜４０で、且つ０点の評価がないとき
△・・・２０名の判定の合計値が１４〜２７で、且つ０点の評価がないとき
×・・・２０名の判定の合計値が０〜１３のとき、または０点評価があったとき
【００３５】
５．熱安定性試験
２０名の女性パネラー（２１才〜３６才）により、４０℃恒温槽内で１ヶ月保管した後の退色の程度を暗所に保管した標準品と比較して判定し、２０名の合計値を求めて評価した。
２点・・・標準品と比較してほとんど同じ色合いである
１点・・・標準品と比較するとわずかに退色が認められる
０点・・・標準品と比較して明らかな退色が認められる
○・・・２０名の判定の合計値が２８〜４０で、且つ０点の評価がないとき
△・・・２０名の判定の合計値が１４〜２７で、且つ０点の評価がないとき
×・・・２０名の判定の合計値が０〜１３のとき、または０点評価があったとき
【００３６】
６．使用感
２０名の女性パネラー（２１才〜３６才）により、石けんの使用感した時の感触を下記のように判定し、２０名の合計値を求めて評価した。
２点・・・使用時の泡立ち、泡質、しっとり感が優れていると感じた場合
１点・・・使用時の泡立ち、泡質、しっとり感がやや悪いと感じた場合
０点・・・使用時の泡立ち、泡質、しっとり感が悪いと感じた場合
○・・・２０名の判定の合計値が２８〜４０で、且つ０点の評価がないとき
△・・・２０名の判定の合計値が１４〜２７で、且つ０点の評価がないとき
×・・・２０名の判定の合計値が０〜１３のとき、または０点評価があったとき
【００３７】
表４および表５により明らかなように、実施例の透明石けんは、比較例の透明石けんと比較して、いずれも色が鮮やかで透明性や色の経時安定性に優れ、使用感が良好であると共に、泡が着色されて高級感が高められている。実施例において、特にヨウ素価（ＩＶ）が１５以下のものは、泡の色や経時安定性が更に優れている。